(57)【要約】本発明はパーマ用ヘアーロッドに関し、パーマの時に毛髪に水分と毛髪営養剤を效果的に供給しながら、ヘアーロッドの内部に分離可能に設置されたヒーターで発生される高温の熱が水分によって毛髪に伝達されて、所望のパーマ形態の毛髪を完成し、完成されたパーマ形態の毛髪を中和して形態を長時間保持することができるようにしたもので、電源コードが分離可能に接続される端子（１）が形成されたヒーター棒（２）と；前記ヒーター棒（２）が挿入されることができるように、内部に収容空間（４）が形成され、左右側の両端に取っ手（５）が形成された外部打孔管（６）と；水分や液状毛髪営養剤を吸収することができるように、不織布や綿からなり、前記内部打孔管（３）と外部打孔管（６）との間に分離可能に挿入されて、外部打孔管（６）の収容空間（４）に挿入される吸水性要素（７）と；を含み、前記ヒーター棒（２）は、外部打孔管（６）の一側に凹凸結合方式に分離可能に結合される。
2012509705.tif 000002
【特許請求の範囲】
【請求項１】
電源コードが分離可能に接続される端子（１）が形成されたヒーター棒（２）と；
前記ヒーター棒（２）が挿入されることができるように、内部に収容空間（４）が形成され、左右側の両端に取っ手（５）が形成された外部打孔管（６）と；
水分や液状毛髪営養剤を吸収することができるように、不織布や綿からなり、前記ヒーター棒（２）と外部打孔管（６）との間に分離可能に挿入されて、外部打孔管（６）の収容空間（４）に挿入される吸水性要素（７）と；を含み、
前記ヒーター棒（２）は、外部打孔管（６）の一側に凹凸結合方式に分離可能に結合されることを特徴とするパーマ用ヘアーロッド。
【請求項２】
前記吸水性要素（７）は、左右側の両端に吸水性要素を構成する不織布や綿の形態が崩れることを防止するための金属または樹脂材質のリテーナ（７ａ）が挿入されることを特徴とする請求項１に記載のパーマ用ヘアーロッド。
【請求項３】
前記ヒーター棒（２）の一側にはフランジ部（２ａ）が形成され、このフランジ部（２ａ）の外側に結合突起（２ｂ）が形成され、前記外部打孔管（６）の一側の取っ手（５）の内側には貫通孔（５ａ）が形成され、この貫通孔（５ａ）の外側には前記ヒーター棒（２）のフランジ部（２ａ）の外側に形成された結合突起（２ｂ）に対応される位置に結合溝（５ｂ）が形成されることを特徴とする請求項１に記載のパーマ用ヘアーロッド。
【発明の詳細な説明】
【技術分野】
【０００１】
本発明はパーマ用ヘアーロッドに関し、詳しくは、パーマの時に毛髪に水分と毛髪営養剤を效果的に供給しながら、高温の水分によって毛髪を完成し、完成された毛髪を中和して形態を保持することができるようにした。
【０００２】
美容室で施術するパーマは通常パーマ剤を櫛に付けて髪を梳きながらパーマ剤を毛髪全体に均一に塗った後、内部に発熱体が装着されたヘアーロッドに毛髪を適切に分割して巻いて固定し、所定時間の間毛髪に熱を加えた後、中和剤を毛髪の全体に塗着した後に固定されたヘアーロッドを毛髪から分離させる過程を通じて行われる。
【０００３】
一方、このようなパーマの時には、毛髪が熱によって容易に乾燥されるため、髪の毛が損傷される問題点が誘発され、これを防止するために髪を巻いたヘアーロッドの表面に不織布などを巻いて水分が蒸発されることを防止することができるようにしているが、熱を受けた毛髪の内部の水分が外部に放出されることは效果的に防止することができないという問題点があった。
【０００４】
上述した問題点を解消するために、パーマ時に水分を供給することができる装置が開発されたが、構造的に複雑で且つ使用が不便であるという短所があり、以下では本発明に係る従来技術について説明する。
【背景技術】
【０００５】
本発明に係る従来技術としては、韓国実用新案登録第０３２０６０２号のスチームヘアーロッド装置を挙げることができるが、これは図６に示すように、所定の時間の間スチームを発生させるスチーム発生器（図示省略）と、外周面に複数のスチーム放出孔２３が形成される外部円筒ケーシング２１、前記外部円筒ケーシング２１の内部に支持されて設置される内部円筒ケーシング２５、前記内部円筒ケーシング２５の内部に固定されて設置される発熱部材２７を含む複数のヘアーロッド２０と、前記スチーム発生器及びそれぞれのヘアーロッド２０の一端部側を連結することによって、外部円筒ケーシング２１及び内部円筒ケーシング２５間の空間にスチームを提供するスチーム供給管３０と、前記それぞれのヘアーロッド２０の他端部及び電源供給部（図示省略）を連結することによって、前記発熱部材２７に電源を提供する電源線４０とを含み、前記発熱部材２７によって加熱されたヘアーロッド２０にスチームが間歇的に供給されることでヘアーロッド２０の熱による毛髪損傷が抑制されるとともに、毛髪へのスチーム供給及びヘアーロッド２０の熱による乾燥が交互に行われることによって毛髪に弾力を与えるとともに所望のヘアーセッティングが完壁に行われることができる。
【０００６】
また、韓国特許公開第２００７−００１３８０６号には、水蒸気を利用したパーマ器が開示されている。これは図７に示すように、毛髪に接触されて毛髪をパーマさせるためのパーマ用ロッド４３０と、高温の水蒸気を発生させることができるように構成される本体と、本体から発生される高温の水蒸気をパーマ用ロッド４３０に供給する水蒸気流入管４２０と、パーマ用ロッド４３０に熱を伝達して温度が低下した水蒸気を本体１００に再び回収するための水蒸気排出管４４０を含み、パーマ用ロッド４３０は内部に水蒸気貫通路が形成され、水蒸気貫通路の両端には水蒸気流入管４２０と水蒸気排出管４４０がそれぞれ結合される。水蒸気流入管４２０から供給された高温の水蒸気は水蒸気貫通路を通る間パーマ用ロッド４３０を加熱し、パーマ用ロッド４３０を加熱することによって、温度が低下された水蒸気は水蒸気排出管４４０を通じて本体に回収される。
【０００７】
また、韓国公開特許第２００２−００３５１８２号には、スチーム機能を有するパーマ用ロッドが開示されている。これは図８に示すように、所定の長さを有し、内周縁と外周縁が貫通される複数のスチーム孔１１ａを有する円筒状の小径部１１と前記小径部の両端部がそれぞれ拡管された大経部１２を有するロッド；前記ロッドの一側から所定の長さに挿入され、電源ラインと連結されて、電源の通電の時発熱する発熱体１４；所定量の水を保存するための保存空間を有し、その出口側に前記保存空間に充填された水を流出させるための芯１６を有し、前記ロッドの他側で挿入可能に締結される着脱手段を有する水筒１５で、前記芯１６を前記発熱体１４と対面させることによって水を蒸発させることができるようにし；前記発熱体１４の熱源によって前記芯１６を加熱することによってスチームを生成し、このスチームが前記ロッドに成型された前記スチーム孔１１ａを通じて発散されて毛髪に水分が供給されるようになっている。
【０００８】
一方、上記で言及された従来技術においては、パーマの時、毛髪が乾燥し過ぎて髪の毛が損傷されることを防止することができるように、頭に水分を供給するためにヘアーロッドの中間部分に水分ホースを通過してロッドの中央に噴出して水分を供給したり、ヘアーロッドの一側に水分を供給するための水筒を附着してロッドから噴出するようしたものがあるが、このような従来の水分パーマ用ヘアーロッドは、パーマの時水筒やスチームホースの重量によって施術者が容易に疲れてしまい、重量によって筋肉に異常が発生されるという問題点があった。
【先行技術文献】
【特許文献】
【０００９】
【特許文献１】韓国実用新案登録第０３２０６０２号
【特許文献１】韓国特許公開第２００７−００１３８０６号
【特許文献１】韓国公開特許第２００２−００３５１８２号
【発明の概要】
【発明が解決しようとする課題】
【００１０】
本発明は上述した問題点を解決するために案出されたもので、本発明の目的は、パーマの時被施術者に対する疲労を減少させながらも、パーマ中の毛髪に水分を含む栄養成分を效果的に供給することができる新構造の水分供給用パーマロッドを提供することにある。
【課題を解決するための手段】
【００１１】
上述した目的を果たすために、本発明は電源コードが分離可能に接続される端子が形成されたヒーター棒と；前記ヒーター棒が挿入されることができるように内部に収容空間が形成され、左右側の両端に取っ手が形成された外部打孔管と；水分や毛髪営養剤を吸収することができるように不織布や綿からなり、前記ヒーター棒と外部打孔管との間に分離可能に挿入されて外部打孔管の収容空間に挿入される吸水性要素と；を含み、前記ヒーター棒は外部打孔管の一側に凹凸結合方式に分離可能に結合されたパーマ用ヘアーロッドを提供する。
【００１２】
本発明で、前記吸水性要素は、その左右側の両端に吸水性要素を構成する不織布や綿の形態が崩れることを防止するための耐熱性シリコーン材質のリテーナが挿入されて打孔管への挿入を容易にするとともに、洗浄の時形態が崩れることを防止することができる。
【００１３】
本発明の好ましい実施形態では、前記ヒーター棒の外部には内部打孔管がさらに挿入されることができるが、これはヒーター棒が吸水性要素に直接接触することを防止する機能と、ヒーター棒と吸水性要素を相互保護する役割を果たし、この内部打孔管は孔のないものを使っても構わない。
【００１４】
また、前記内部打孔管は熱導電性が優れたアルミニウムなどの金属の外にも遠赤外線を放出する黄土成分や銀ナノ成分などを含む各種機能性素材を使用できることは勿論である。
【発明の効果】
【００１５】
本発明は、パーマの時毛髪に水分と営養剤を效果的に供給することができるので、パーマによる髪の毛の損傷を最小化するとともに、ヘアーロッドの内部に分離可能に設置されたヒーターで発生した高温の熱気が水分を通じて毛髪に伝達されて、所望のパーマ形態の毛髪を完成し、完成されたパーマ形態の毛髪を中和して形態を長期間保持することができ、パーマの時、施術者や被施術者両方とも疲れないで簡便に水分パーマを掛けることができるという有用な效果を奏する。
【図面の簡単な説明】
【００１６】
【図１】本発明によるパーマ用ヘアーロッドの分離斜視図である。
【図２】本発明によるパーマ用ヘアーロッドの結合状態断面図である。
【図３】図２のＡ−Ａ線に沿う断面図である。
【図４】本発明の使用状態を示す斜視図である。
【図５】図４のＢ−Ｂ線に沿う断面図である。
【図６】従来技術によるパーマロッドの一実施形態を示す。
【図７】従来技術によるパーマロッドの他の実施形態を示す。
【図８】従来技術によるパーマロッドのまた他の実施形態を示す。
【発明を実施するための形態】
【００１７】
以下、本発明を限定しない好ましい実施形態を添付図面を通じて詳しく説明する。
【００１８】
図１及び図２はそれぞれ本発明による水分パーマ用ヘアーロッドの分離状態及び結合状態を示す斜視図及び断面図で、図３は図２のＡ−Ａ線に沿う断面図である。
【００１９】
図１〜図３に示すように、本発明のヘアーロッドは図示しない電源コードが分離可能に接続されるプラス端子（＋）及びマイナス（−）端子１が形成されたヒーター棒２と；前記ヒーター棒２の外部に被せられる内部打孔管３と；前記ヒーター棒２と内部打孔管３が挿入されることができるように、内部に収容空間４が形成され、左右側の両端に取っ手５が形成された外部打孔管６と；水分や毛髪営養剤を吸収できるように不織布や綿からなり、前記内部打孔管３と外部打孔管６との間に分離可能に挿入されて、外部打孔管６の収容空間４に挿入される吸水性要素７と；を含む。
【００２０】
本発明で、前記ヒーター棒２は外部打孔管６の一側に凹凸結合方式に分離可能に結合されるようになっているが、これはヒーター棒２の一側にフランジ部２ａが形成され、このフランジ部２ａの外側に結合突起２ｂが形成されており、前記外部打孔管６の一側取っ手５の内側には貫通孔５ａが形成され、この貫通孔５ａの外側には前記ヒーター棒２のフランジ部２ａの外枠に形成された結合突起２ｂに対応される位置に結合溝５ｂが形成されており、前記ヒーター棒２を外部打孔管６に挟んだ状態でヒーター棒２のフランジ部２ａを結合溝５ｂに挟んだ後一側に回転させると、ヒーター棒２の結合突起２ｂが貫通孔５ａの内側に係止されて離脱されなくなり、ヒーター棒２を分離しようとする場合には、前記と反対方向にヒーター棒２を回すと、貫通孔５ａの内側に係止されていた結合突起２ｂが結合溝５ｂを通じて外部に離脱されるので相互分離されることができる。
【００２１】
本発明は上述した結合方式のみに限定されないで、ヒーター棒と外部打孔管との間の結合方式は何れの方式を使っても構わない。
【００２２】
添付図面に示すように、本発明で前記吸水性要素７は、その左右側の両端に吸水性要素７を構成する不織布や綿の形態が崩れることを防止するための耐熱性シリコーン材質のリテーナ７ａを挿入し、このリテーナ７ａは、要素７自体が崩れることを防止する機能の外にも内部打孔管３及び外部打孔管６に挿入したり取り外す作業をする時、要素７が円形を保持するように形態を容易にすることができるようにするために使われる。
【００２３】
前記吸水性要素７は不織布または綿（脱脂綿）やコットンなどからなるので、パーマの時、水または液状の毛髪営養剤を吸収した状態で、ロッド内部に設置されたヒーター棒２に電源が印加されて加熱されると蒸発されながら、外部打孔管６に穿孔された孔ｈを通じて放射状に外部に排出され、これによってロッドに巻いていた毛髪に水分と栄養成分を適切に供給することができる。
一方、前記吸水性要素７はパーマをかけた後汚染された場合には、水に洗浄して乾燥してから再使用すればよく、その表面にはコットンやシルクなどで薄く被覆して耐久性を保持するようにすることが好ましい。
【００２４】
図４は本発明のロッドに毛髪を巻いてクリップで固定した状態を示し、図５は図４のＢ−Ｂ線に沿う断面図で、パーマの時には図示しない櫛などを使ってパーマ剤を毛髪Ｈに塗布した後、パーマ剤が塗布された毛髪を本発明のロッドに巻き、その外部にクリップ８で挟んで巻いた状態が崩れないようにした後、ロッドの内部に挿入されたヒーター棒２に図示しない電源コードを連結すればヒーター棒２が加熱され、この時、前記ロッドの内部に収容された吸水性要素７に水や液状毛髪営養剤を濡らしておけば要素７が水または液状の毛髪営養剤を吸収した状態でヒーター棒２の発熱によって蒸発されながら、外部打孔管６に穿孔された孔ｈを通じて放射状に外部に排出され、これによってロッドに巻かれていた毛髪Ｈに水分と栄養成分の供給が適切に行われながら、パーマをかける。
（産業上の利用の可能性）
【００２５】
本発明のパーマ用ヘアーロッドは、従来のスチーム供給式や水筒式ロッドに比べて重量が軽くて、使用の時、被施術者があまり重く感じないので、疲労が少なく、ロッドの構造も簡単で且つ製作が容易で、使用後にはヒーター棒と吸水性要素を簡単に分離して洗浄保管してこれを再使用することができるので、衛生的で安全にパーマをかけることができて、従来のヘアーロッドの代わりに有用に利用されることができる。
【符号の説明】
【００２６】
１：端子  
２：ヒーター棒
２ａ：フランジ部  
２ｂ：結合突起
３：内部打孔管  
４：収容空間
５：取っ手  
５ａ：貫通孔
５ｂ：結合溝  
６：外部打孔管
７：吸水性要素  
７ａ：リテーナ
８：クリップ  
ｈ：孔
Ｈ：毛髪
【図１】
2012509705.tif 000003
【図２】
2012509705.tif 000004
【図３】
2012509705.tif 000005
【図４】
2012509705.tif 000006
【図５】
2012509705.tif 000007
【図６】
2012509705.tif 000008
【図７】
2012509705.tif 000009
【図８】
2012509705.tif 000010
【国際調査報告】
2012509705.tif 000011
2012509705.tif 000012
2012509705.tif 000013
2012509705.tif 000014